(57)【要約】【課題】ユーザーが体内を流れる血液の流速を精度良く知ることができる技術を提供する。【解決手段】測定装置は、第１レーザー光と、第１レーザー光と交差する第２レーザー光とを体内に向けて照射する照射装置と、前記照射装置によって照射された第１レーザー光と第２レーザー光との交差点が体内を流れる血液に当たることによって生じる散乱光を受光し、受光した散乱光に応じた信号を出力する受光装置と、表示装置と、処理装置と、を備えており、前記処理装置は、前記受光装置が出力した信号に基づいて前記交差点が当たっている血液の流速を特定し、特定した血液の流速を前記表示装置に表示する。【選択図】図２
2020188916.tif 000002
【特許請求の範囲】
【請求項１】
第１レーザー光と、第１レーザー光と交差する第２レーザー光とを体内に向けて照射する照射装置と、
前記照射装置によって照射された第１レーザー光と第２レーザー光との交差点が体内を流れる血液に当たることによって生じる散乱光を受光し、受光した散乱光に応じた信号を出力する受光装置と、
表示装置と、
処理装置と、を備えており、
前記処理装置は、前記受光装置が出力した信号に基づいて前記交差点が当たっている血液の流速を特定し、特定した血液の流速を前記表示装置に表示する、測定装置。
【請求項２】
前記処理装置は、特定した血液の流速が所定の第１流速より速い場合は、動脈または静脈を表す表示を前記表示装置に表示する、請求項１に記載の測定装置。
【請求項３】
前記照射装置によって照射された第１レーザー光を遮断する第１遮断装置を更に備えており、
前記第１遮断装置は、第１レーザー光を遮断する遮断状態と、第１レーザー光を遮断しない非遮断状態とを切り換え可能に構成されている、請求項１又は２に記載の測定装置。
【請求項４】
前記照射装置によって照射された第２レーザー光を遮断する第２遮断装置を更に備えており、
前記第２遮断装置は、第２レーザー光を遮断する遮断状態と、第２レーザー光を遮断しない非遮断状態とを切り換え可能に構成されており、
前記処理装置は、前記第１遮断装置と前記第２遮断装置が共に非遮断状態であるときに前記受光装置が出力した信号と、前記第１遮断装置が遮断状態である一方で前記第２遮断装置が非遮断状態であるときに前記受光装置が出力した信号と、前記第１遮断装置が非遮断状態である一方で前記第２遮断装置が遮断状態であるときに前記受光装置が出力した信号と、に基づいて前記交差点が当たっている血液の流速を特定する、請求項３に記載の測定装置。
【請求項５】
前記処理装置は、前記第１遮断装置が非遮断状態であるときに前記受光装置が出力した信号と、前記第１遮断装置が遮断状態であるときに前記受光装置が出力した信号と、に基づいて前記交差点が当たっている血液の流速を特定する、請求項３に記載の測定装置。
【発明の詳細な説明】
【技術分野】
【０００１】
本明細書に開示する技術は、測定装置に関する。
【背景技術】
【０００２】
特許文献１には、体内を流れる血液の流速を測定する測定装置が開示されている。
【先行技術文献】
【特許文献】
【０００３】
【特許文献１】特開２００８−２７２０８５号公報
【発明の概要】
【発明が解決しようとする課題】
【０００４】
特許文献１の技術では、体内を流れる血液の流速を精度良く測定することが難しく、ユーザーが血液の流速を精度良く知ることが難しかった。そこで本明細書は、ユーザーが体内を流れる血液の流速を精度良く知ることができる技術を提供する。
【課題を解決するための手段】
【０００５】
本明細書に開示する測定装置は、第１レーザー光と、第１レーザー光と交差する第２レーザー光とを体内に向けて照射する照射装置と、前記照射装置によって照射された第１レーザー光と第２レーザー光との交差点が体内を流れる血液に当たることによって生じる散乱光を受光し、受光した散乱光に応じた信号を出力する受光装置と、表示装置と、処理装置と、を備えている。前記処理装置は、前記受光装置が出力した信号に基づいて前記交差点が当たっている血液の流速を特定し、特定した血液の流速を前記表示装置に表示する。
【０００６】
この構成によれば、第１レーザー光と第２レーザー光によって生じる散乱光に応じた信号に基づいて血液の流速を特定するので、血液の流速を精度良く特定することができる。また、その流速が表示装置に表示されるので、測定装置のユーザーが血液の流速を精度良く知ることができる。
【０００７】
前記処理装置は、特定した血液の流速が所定の第１流速より速い場合は、動脈または静脈を表す表示を前記表示装置に表示してもよい。
【０００８】
体内の動脈または静脈を流れる血液の流速は、その他の毛細血管を流れる血液の流速より速い。そのため、第１レーザー光と第２レーザー光の交差点が当たっている血液の流速が所定の第１流速より速い場合は、その血液が流れている血管が動脈または静脈であると判断することができる。この場合は、動脈または静脈を表す表示が表示装置に表示される。これによって、表示装置を視たユーザーが、体内の動脈または静脈の位置を知ることができる。例えば、表示装置を視た医師が患者の動脈または静脈の位置を知ることができる。
【０００９】
測定装置は、前記照射装置によって照射された第１レーザー光を遮断する第１遮断装置を更に備えていてもよい。前記第１遮断装置は、第１レーザー光を遮断する遮断状態と、第１レーザー光を遮断しない非遮断状態とを切り換え可能に構成されていてもよい。
【００１０】
この構成によれば、第１レーザー光を遮断する遮断状態に切り換えることによって、第２レーザー光によって生じる散乱光に応じた信号を取得することができる。また、第１レーザー光を遮断しない非遮断状態に切り換えることによって、第１レーザー光と第２レーザー光によって生じる散乱光に応じた信号を取得することができる。遮断状態による信号と非遮断状態による信号を取得することができるので、それらの信号に基づいて血液の流速を精度良く特定することができる。
【００１１】
測定装置は、前記照射装置によって照射された第２レーザー光を遮断する第２遮断装置を更に備えていてもよい。前記第２遮断装置は、第２レーザー光を遮断する遮断状態と、第２レーザー光を遮断しない非遮断状態とを切り換え可能に構成されていてもよい。前記処理装置は、前記第１遮断装置と前記第２遮断装置が共に非遮断状態であるときに前記受光装置が出力した信号と、前記第１遮断装置が遮断状態である一方で前記第２遮断装置が非遮断状態であるときに前記受光装置が出力した信号と、前記第１遮断装置が非遮断状態である一方で前記第２遮断装置が遮断状態であるときに前記受光装置が出力した信号と、に基づいて前記交差点が当たっている血液の流速を特定してもよい。
【００１２】
この構成によれば、第１遮断装置の遮断状態／非遮断状態と、第２遮断装置の遮断状態／非遮断状態とを組み合わせて血液の流速を特定することによって、血液の流速を精度良く特定することができる。
【００１３】
前記処理装置は、前記第１遮断装置が非遮断状態であるときに前記受光装置が出力した信号と、前記第１遮断装置が遮断状態であるときに前記受光装置が出力した信号と、に基づいて前記交差点が当たっている血液の流速を特定してもよい。この構成によれば、第１遮断装置の遮断状態／非遮断状態を切り換えて血液の流速を特定することによって、血液の流速を精度良く特定することができる。
【図面の簡単な説明】
【００１４】
【図１】実施例に係る測定装置の概略構成を示す図である。
【図２】実施例に係る測定装置が人の体に適用された状態を示す図である。
【図３】図１のIII−III断面図である。
【図４】実施例に係る遮断装置の概略構成を示す正面図である。
【図５】実施例に係る受光装置の概略構成を示す断面図である。
【図６】実施例に係る受光素子の概略構成を示す側面図である。
【図７】実施例に係る受光素子の概略構成を示す平面図である。
【図８】実施例に係る測定装置のブロック図である。
【図９】測定装置で実行される第１実施例に係る測定処理のフローチャートである。
【図１０】実施例に係る表示装置における表示の一例を示す図である。
【図１１】周波数スペクトルの一例を示す図である。
【図１２】体内を流れる血液の流速の波形の一例を示す図である。
【図１３】体内を流れる血液の流速の波形の他の一例を示す図である。
【図１４】測定装置で実行される第２実施例に係る測定処理のフローチャートである。
【図１５】実施例に係る表示装置における表示の他の一例を示す図である。
【図１６】実施例に係る表示装置における表示の他の一例を示す図である。
【図１７】他の実施例に係る測定装置の概略構成を示す図である。
【図１８】第３実施例に係る測定装置の概略構成を示す図である。
【図１９】測定装置で実行される第３実施例に係る測定処理のフローチャートである。
【発明を実施するための形態】
【００１５】
（第１実施例）
実施例に係る測定装置１について図面を参照して説明する。図１および図２に示すように、第１実施例に係る測定装置１は、人の体Ｂに適用される。例えば、人の腕、脚、胴等に測定装置１が適用される。図１および図２に示す例では、測定装置１が人の腕に適用されている。測定装置１が適用される人は、例えば患者である。測定装置１のユーザーは、例えば医師である。測定装置１が適用される人の体内１０１には複数の血管１０３が存在しており、複数の血管１０３に血液が流れている。複数の血管１０３は、例えば動脈、静脈または毛細血管である。体内１０１の血液は、体内１０１に存在している動脈、静脈および毛細血管を流れている。動脈には心臓から送り出された血液が流れている。静脈には心臓に送り戻される血液が流れている。また、毛細血管には、動脈から流れ出した血液、または、静脈に流れ込む血液が流れている。動脈を流れている血液の流速は、心臓の拍動の影響によって静脈を流れている血液の流速より速い。また、静脈を流れている血液の流速は毛細血管を流れている血液の流速より速い。また、動脈および静脈を流れている血液の流速は、心臓の拍動の影響によって周期的に変化する。動脈を流れている血液の流速の変化量は、心臓の拍動の影響によって、静脈を流れている血液の流速の変化量よりも大きくなる。
【００１６】
測定装置１は、筐体８と、照射装置２と、遮断装置５と、受光装置３と、表示装置４と、処理装置９とを備えている。照射装置２と遮断装置５と受光装置３とは、筐体８の内部に配置されており、筐体８に収容されている。表示装置４と処理装置９とは、筐体８の外部に配置されている。他の実施例では、表示装置４と処理装置９とが筐体８の内部に配置されていてもよい。筐体８は、本体部材８０と先端部材８１を備えている。本体部材８０は、測定装置１のユーザーが把持する部分である。先端部材８１は、測定装置１が人の体Ｂに適用される際に、人の体Ｂの表面１０２（皮膚）に押し当てられる部分である。先端部材８１の端面が人の体Ｂの表面１０２に密着する。先端部材８１は薄い板状の部材である。
【００１７】
図３に示すように、筐体８の先端部材８１には開口部８２が形成されている。開口部８２は四角形状に形成されている。また、先端部材８１は、複数の突起８５を備えている。開口部８２の四辺のそれぞれに突起８５が形成されている。各突起８５は、開口部８２の各辺の中央部に形成されている。各突起８５は、開口部８２の周縁部から中心部に向けて突出している。各突起８５は、開口部８２の周縁部から中心部に向けて細くなっている。各突起８５は三角形状に形成されている。
【００１８】
図１および図２に示すように、筐体８の内部に配置されている照射装置２は、人の体内１０１に向けて第１レーザー光Ｌ１と第２レーザー光Ｌ２とを照射する装置である。第１レーザー光Ｌ１と第２レーザー光Ｌ２とは互いに交差する。第１レーザー光Ｌ１と第２レーザー光Ｌ２とが交差する点を交差点１０と呼ぶ。第１レーザー光Ｌ１と第２レーザー光Ｌ２とは、筐体８の開口部８２を通過する。
【００１９】
照射装置２は、発光素子２１と、コリメーターレンズ２２と、回折格子２３と、移動装置２５と、第１ミラー４３と、第２ミラー４４とを備えている。発光素子２１は、例えばレーザーダイオード（ＬＤ）である。発光素子２１は、コリメーターレンズ２２と対向するように配置されている。発光素子２１は、コリメーターレンズ２２に向けてレーザー光Ｌを発光する。発光素子２１が発光したレーザー光Ｌがコリメーターレンズ２２に入射する。発光素子２１は、回折格子２３と第１ミラー４３および第２ミラー４４との間に配置されている。発光素子２１は、第１ミラー４３および第２ミラー４４が配置されている方向とは反対側にレーザー光Ｌを発光する。レーザー光Ｌは、例えば波長が８５０ｎｍ−１３００ｎｍ程度の近赤外線光である。
【００２０】
コリメーターレンズ２２は、発光素子２１と回折格子２３の間に配置されている。コリメーターレンズ２２は、発光素子２１が発光したレーザー光Ｌを平行光にして出射する。コリメーターレンズ２２から出射したレーザー光Ｌ（平行光）は、回折格子２３に入射する。
【００２１】
回折格子２３は、光の回折を利用して回折格子２３に入射したレーザー光Ｌを第１レーザー光Ｌ１と第２レーザー光Ｌ２とに分光する装置である。回折格子２３は、反射型の回折格子である。回折格子２３に入射したレーザー光Ｌが回折格子２３で反射するときに第１レーザー光Ｌ１と第２レーザー光Ｌ２とに分かれる。回折格子２３によって生じた第１レーザー光Ｌ１と第２レーザー光Ｌ２とは、異なる方向に進行する。第１レーザー光Ｌ１と第２レーザー光Ｌ２とは、発光素子２１とコリメーターレンズ２２とを結ぶ線に関して線対称になるように進行する。図１および図２に示す例では、第１レーザー光Ｌ１が右斜め上方に向かって進行し、第２レーザー光Ｌ２が左斜め上方に向かって進行する。第１レーザー光Ｌ１が第１ミラー４３に向かって進行し、第２レーザー光Ｌ２が第２ミラー４４に向かって進行する。第１レーザー光Ｌ１の波長と第２レーザー光Ｌ２の波長とは同じ波長である。また、第１レーザー光Ｌ１の周波数と第２レーザー光Ｌ２の周波数とは同じ周波数である。
【００２２】
移動装置２５は、回折格子２３を移動させる装置である。回折格子２３は可動式である。移動装置２５は例えば機械式の装置であり、測定装置１のユーザー（例えば医師）がボルト２５１を回すことによって回折格子２３を図１の上下方向に移動させることができる。移動装置２５は手動式でも自動式でもよい。移動装置２５が回折格子２３を移動させることによって、第１レーザー光Ｌ１と第２レーザー光Ｌ２の照射位置を移動させることができる。移動装置２５は、第１レーザー光Ｌ１と第２レーザー光Ｌ２の照射位置を移動させることによって、第１レーザー光Ｌ１と第２レーザー光Ｌ２との交差点１０の位置を移動させることができる。また、移動装置２５は、リニアエンコーダ２５２を備えている。リニアエンコーダ２５２は、移動距離を測定する装置である。移動装置２５は、リニアエンコーダ２５２によって交差点１０を移動させた距離を特定することができる。移動装置２５は、交差点１０を移動させた距離の情報を処理装置９へ送信する。
【００２３】
第１ミラー４３と第２ミラー４４とは、回折格子２３と人の体Ｂの間に配置されている。第１ミラー４３と第２ミラー４４とは、互いに向かい合っている。第１ミラー４３は第１反射面２４１を備えている。また、第２ミラー４４は第２反射面２４２を備えている。第１反射面２４１と第２反射面２４２とは、互いに向かい合っている。回折格子２３によって生じた第１レーザー光Ｌ１は、第１ミラー４３の第１反射面２４１に入射する。第１レーザー光Ｌ１は第１反射面２４１で反射する。また、回折格子２３によって生じた第２レーザー光Ｌ２が第２ミラー４４の第２反射面２４２に入射する。第２レーザー光Ｌ２は第２反射面２４２で反射する。
【００２４】
第１ミラー４３で反射した第１レーザー光Ｌ１は、第１方向Ｄ１に進行する。第２ミラー４４で反射した第２レーザー光Ｌ２は、第２方向Ｄ２に進行する。第１レーザー光Ｌ１と第２レーザー光Ｌ２とは、筐体８の先端部材８１の開口部８２を通過して筐体８から出射する。筐体８から出射した第１レーザー光Ｌ１と第２レーザー光Ｌ２とは人の体内１０１に入射する。第１方向Ｄ１と第２方向Ｄ２は互いに交差する方向である。第１方向Ｄ１に進行する第１レーザー光Ｌ１と第２方向Ｄ２に進行する第２レーザー光Ｌ２とは、交差点１０で交差する。第１レーザー光Ｌ１と第２レーザー光Ｌ２とは、互いに重なり合って干渉する。
【００２５】
第１レーザー光Ｌ１と第２レーザー光Ｌ２との交差点１０が人の体内１０１を流れる血液に当たると、第１レーザー光Ｌ１と第２レーザー光Ｌ２とが散乱する。より詳細には、第１レーザー光Ｌ１と第２レーザー光Ｌ２とが血液に含まれている粒子（例えば赤血球）に当たることによって散乱する。第１レーザー光Ｌ１と第２レーザー光Ｌ２とは、互いに異なる方向から血液に当たる。第１レーザー光Ｌ１は、第１方向Ｄ１に進行して血液に当たる。第２レーザー光Ｌ２は、第２方向Ｄ２に進行して血液に当たる。第１レーザー光Ｌ１と第２レーザー光Ｌ２とが体内１０１を流れる血液に当たることによって散乱光が生じる。第１レーザー光Ｌ１と第２レーザー光Ｌ２とが散乱することによって散乱光が生じる。第１レーザー光Ｌ１と第２レーザー光Ｌ２とが血液に当たって散乱するときに、ドップラーシフトによって各レーザー光Ｌ１、Ｌ２の周波数が変化する。各レーザー光Ｌ１、Ｌ２の散乱によって生じる散乱光の周波数は、各レーザー光Ｌ１、Ｌ２の各周波数とは異なる周波数である。
【００２６】
各レーザー光Ｌ１、Ｌ２の散乱によって生じる散乱光は様々な方向に進行する。各レーザー光Ｌ１、Ｌ２の散乱によって生じた散乱光のうち、受光装置３に向かって進行する散乱光Ｐを受光装置３が受光する。散乱光Ｐは、第１レーザー光Ｌ１の散乱によって生じた散乱光と第２レーザー光Ｌ２の散乱によって生じた散乱光とが干渉して重なり合った干渉光である。この散乱光Ｐが受光装置３に入射する。
【００２７】
照射装置２の第１ミラー４３と筐体８の先端部材８１との間に遮断装置５が配置されている。遮断装置５は、第１レーザー光Ｌ１の進路上に配置されている。図４に示すように、遮断装置５は、枠部材５１と開閉部材５２を備えている。枠部材５１には開口部５３が形成されている。枠部材５１は、開口部５３が第１レーザー光Ｌ１の進路上に位置するように配置されている（図１及び図２参照）。開閉部材５２は、枠部材５１の開口部５３を開閉する。開閉部材５２が閉状態である場合は、第１レーザー光Ｌ１が開口部５３を通過しない。開閉部材５２によって第１レーザー光Ｌ１が遮断される。一方、開閉部材５２が開状態である場合は、第１レーザー光Ｌ１が開口部５３を通過する。開閉部材５２によって第１レーザー光Ｌ１が遮断されない。
【００２８】
遮断装置５は、開閉部材５２の閉状態と開状態を切り換え可能に構成されている。すなわち、遮断装置５は、第１レーザー光Ｌ１を遮断する遮断状態と、第１レーザー光Ｌ１を遮断しない非遮断状態とを切り換え可能に構成されている。遮断装置５が遮断状態になると、第１レーザー光Ｌ１が人の体Ｂに照射されず、第１レーザー光Ｌ１が人の体内１０１に入射しない。一方、遮断装置５が非遮断状態になると、第１レーザー光Ｌ１が人の体Ｂに照射され、第１レーザー光Ｌ１が人の体内１０１に入射する。
【００２９】
散乱光Ｐを受光する受光装置３は、人の体Ｂと照射装置２との間に配置される。受光装置３は、図示省略する固定具によって照射装置２に固定されている。受光装置３は、人の体Ｂと対向するように配置されている。受光装置３は、図５に示すように、受光素子３１と、遮光性の箱体３８を備えている。受光素子３１は、例えばフォトダイオード（ＰＤ）である。箱体３８内に受光素子３１が配置されている。
【００３０】
箱体３８は、前壁３８ａと、後壁３８ｂと、一対の側壁３８ｃ、３８ｃとを備えている。測定装置１が人の体Ｂ（図５には図示せず）に適用された状態では、前壁３８ａが人の体Ｂと受光素子３１との間に配置される。後壁３８ｂは、受光素子３１と照射装置２（図５には図示せず）との間に配置されている。一対の側壁３８ｃ、３８ｃは、前壁３８ａと後壁３８ｂとの間に配置されている。箱体３８の後壁３８ｂに受光素子３１が固定されている。箱体３８の前壁３８ａは受光素子３１から離れた位置に配置されている。前壁３８ａには中空の光通過孔３５が形成されている。
【００３１】
光通過孔３５は、受光素子３１に向かう方向（図５の上下方向）に延びている。光通過孔３５は、入射口３６と出射口３７を備えている。各レーザー光Ｌ１、Ｌ２の散乱によって生じた散乱光Ｐが入射口３６から光通過孔３５に入射する。受光装置３に向かって進行する散乱光Ｐが光通過孔３５に入射する。光通過孔３５に入射した散乱光Ｐは、光通過孔３５を通過して出射口３７から出射する。出射口３７から出射した散乱光Ｐが受光素子３１に入射する。
【００３２】
図６および図７に示すように、受光素子３１は、有効受光領域３１２と受光面３１３とを備えている。有効受光領域３１２は、受光素子３１の中央部に形成されている。有効受光領域３１２は、入射する光を電気信号に変換することができる領域である。受光素子３１は、有効受光領域３１２に入射する散乱光Ｐを有効に受光することができる。受光面３１３は、有効受光領域３１２の表面である。受光素子３１は、受光面３１３に入射する散乱光Ｐを受光することができる。受光素子３１は、散乱光Ｐを受光すると、その散乱光Ｐの強さに応じた電気信号を出力する。本実施例では、受光素子３１は、散乱光Ｐの強さに応じた電圧信号を出力する。
【００３３】
図８に示すように、処理装置９は、照射装置２の発光素子２１と、受光装置３の受光素子３１とに電気的に接続されている。処理装置９は、発光素子２１が発光するレーザー光Ｌと、受光素子３１が受光する散乱光Ｐに基づいて、人の体内１０１を流れる血液の流速を演算する。処理装置９は、ドップラーシフトに基づく演算方法によって血液の流速を演算する。より詳細には、処理装置９は、血液に含まれている粒子（例えば赤血球）の速度を演算する。血液の流速の演算方法については後述する。
【００３４】
また、処理装置９は、移動装置２５と表示装置４に電気的に接続されている。処理装置９は、移動装置２５から受信する情報に基づいて、移動装置２５が回折格子２３を移動させた距離を特定する。すなわち、処理装置９は、移動装置２５が第１レーザー光Ｌ１と第２レーザー光Ｌ２との交差点１０を移動させた距離を特定する。表示装置４は、例えば液晶モニタである。表示装置４には、例えば人の体内１０１を流れる血液の流速や交差点１０が移動した距離等が表示される。処理装置９が実行する情報処理については後述する。また、処理装置９は、遮断装置５に接続されている。処理装置９は、遮断装置５の動作を制御する。
【００３５】
次に、上記の測定装置１を用いて人の体内１０１の血管（動脈または静脈）の位置を測定する方法について説明する。この方法では、まず測定装置１のユーザー（例えば医師）が、第１レーザー光Ｌ１と第２レーザー光Ｌ２との交差点１０の位置を、筐体８の先端部材８１に形成されている開口部８２内に配置する（図１参照）。具体的には、ユーザーが移動装置２５を手動で操作することによって、交差点１０の位置を移動させる。ユーザーは、交差点１０の位置が先端部材８１の開口部８２内に配置されるように移動装置２５を操作する。ユーザーは、複数の突起８５の位置を参考にして開口部８２内に交差点１０を配置する。
【００３６】
続いて、ユーザーが測定装置１を人（例えば患者）の体Ｂに適用する。ユーザーが測定装置１を人の体Ｂに適用する際には、測定装置１の筐体８の先端部材８１を人の体Ｂの表面１０２に密着させる（図２参照）。これによって、先端部材８１に形成されている開口部８２の位置が人の体Ｂの表面１０２の位置と一致する。その結果、開口部８２内に配置されている交差点１０の位置が、人の体Ｂの表面１０２の位置と一致するとみなすことができる。処理装置９は、交差点１０の位置が人の体Ｂの表面１０２の位置と一致しているときの距離Ｘを０（ゼロ）として認識する。
【００３７】
続いて、ユーザーが移動装置２５を手動で操作することによって、交差点１０を人の体Ｂの表面１０２から人の体内１０１の深部へ向けて移動させる。移動装置２５が自動で動作することによって、交差点１０を人の体Ｂの表面１０２から人の体内１０１の深部へ向けて移動させてもよい。移動装置２５の動作によって、交差点１０が人の体内１０１に進入してゆく。移動装置２５は、交差点１０を移動させた距離Ｘの情報を処理装置９へ送信する。
【００３８】
人の体内１０１に進入した交差点１０が人の体内１０１を流れる血液に当たると、第１レーザー光Ｌ１と第２レーザー光Ｌ２とが散乱する。第１レーザー光Ｌ１と第２レーザー光Ｌ２とが散乱することによって散乱光Ｐが生じる。各レーザー光Ｌ１、Ｌ２の散乱によって生じた散乱光Ｐは、受光装置３に向かって進行して受光装置３に入射する。受光装置３の受光素子３１が散乱光Ｐを受光する。受光素子３１は、受光した散乱光Ｐに応じた信号を出力する。本実施例では、受光素子３１は、散乱光Ｐの強さに応じた電圧信号を出力する。受光素子３１が出力した電圧信号を処理装置９が受信する。
【００３９】
次に、上記の測定装置１で実行される測定処理について説明する。測定処理は、例えば測定装置１の電源がオンになると実行される。図９に示すように、測定処理のＳ１１では、処理装置９が、移動装置２５から距離Ｘの情報を受信する。続いてＳ１３では、処理装置９が、移動装置２５から受信した距離Ｘの情報に基づいて、移動装置２５が交差点１０を移動させた距離Ｘを特定する。すなわち、処理装置９は、移動装置２５の動作によって交差点１０が人の体Ｂの表面１０２から体内１０１へ移動した距離Ｘを特定する。続いてＳ１５では、処理装置９が、特定した距離Ｘを表示装置４に表示する（図１０参照）。人の体Ｂの表面１０２と体内１０１に進入した交差点１０との距離Ｘが表示装置４に表示される。
【００４０】
続いてＳ１７では、処理装置９が、受光素子３１から電圧信号を受信する。処理装置９は、受光素子３１から受信した電圧信号を例えば０．０６秒の間隔でサンプリングする。続いてＳ１９では、処理装置９が、受光素子３１から受信してサンプリングした電圧信号をフーリエ変換する。処理装置９は、例えばＦＦＴ（高速フーリエ変換）アナライザーによってフーリエ変換を実行することができる。フーリエ変換は、時間の関数を周波数の関数に変換することができる手法である。フーリエ変換については、よく知られているので詳細な説明を省略する。処理装置９は、フーリエ変換を実行して周波数スペクトルを生成する。また、処理装置９は、生成した周波数スペクトルをデシベル換算する。デシベル換算された周波数スペクトルは、例えば図１１に示すように、周波数と電圧レベルの関係で示される。
【００４１】
続いてＳ２１では、処理装置９が、Ｓ１９の処理で得られた周波数スペクトルにおけるピーク周波数fpを検出する。ピーク周波数fpは、周波数スペクトルにおいて最も突出している電圧レベルに対応する周波数である。また、その近傍の周波数をピーク周波数fpとしてもよい。続いてＳ２３では、処理装置９が、周波数スペクトルにおけるピーク周波数fpに基づいて血液の流速を特定する。処理装置９は、下記の式（１）によって血液の流速を演算することができる。ただし、下記の式（１）において、ｖは、人の体内１０１を流れる血液の流速である。また、λは、第１レーザー光Ｌ１と第２レーザー光Ｌ２の波長である。また、θは、第１レーザー光Ｌ１と第２レーザー光Ｌ２の交差角度の１／２の角度である（図１および図２参照）。処理装置９は、下記の式（１）によって、第１レーザー光Ｌ１と第２レーザー光Ｌ２との交差点１０が当たっている血液の流速を特定することができる。なお、処理装置９は、他の演算方法によって血液の流速を特定してもよい。演算方法は特に限定されない。
【数１】
2020188916.tif 000003
【００４２】
続いてＳ２５では、処理装置９が、上記のＳ２３で特定した血液の流速が所定の第１流速より速いか否かを判断する。所定の第１流速は、例えば、一般的な動脈または静脈を流れる血液の流速を参考にして決定される。所定の第１流速は、例えば５０ｍｍ／ｓである。処理装置９は、Ｓ２５で肯定判断する場合は（Ｓ２５でＹｅｓ）、Ｓ２７に進む。一方、処理装置９は、Ｓ２５で否定判断する場合は（Ｓ２５でＮｏ）、Ｓ３１に進む。
【００４３】
人の体内１０１の動脈または静脈を流れる血液の流速は、毛細血管を流れる血液の流速より速い。処理装置９がＳ２５で肯定判断する場合は、交差点１０が当たっている血液の流速が所定の第１流速より速いので、その血液が流れている血管が動脈または静脈であると判断することができる。一方、処理装置９がＳ２５で否定判断する場合は、交差点１０が当たっている血液の流速が所定の第１流速より遅いので、その血液が流れている血管が動脈または静脈でない（毛細血管である）と判断することができる。あるいは、処理装置９がＳ２５で否定判断する場合は、交差点１０の位置に血管が存在していないとみなすこともできる。
【００４４】
Ｓ２５で否定判断した後のＳ３１では、処理装置９が、毛細血管を表す表示を表示装置４に表示する（図１０参照）。もしくは、処理装置９が、血管が存在していないことを表す表示を表示装置４に表示する（図１０参照）。例えば、処理装置９は、「毛細血管ｏｒなし」の文字列Ｃ３を表示装置４に表示する。また、処理装置９は、上記のＳ１３で特定してＳ１５で表示した距離Ｘの隣に文字列Ｃ３を表示する。例えば、処理装置９は、上記のＳ１３で特定してＳ１５で表示した距離Ｘが０．５ｍｍであった場合は、その距離Ｘ（０．５ｍｍ）隣に文字列Ｃ３を表示する。また、Ｓ３１では、処理装置９が、上記のＳ２３で特定した血液の流速を表示装置４に表示する（図１０参照）。処理装置９は、Ｓ１５で表示した距離Ｘに対応する文字列Ｃ３の隣に流速（例えば、３０ｍｍ／ｓ）を表示する。処理装置９は、Ｓ３１の処理が終了した後に上記のＳ１１に戻る。
【００４５】
Ｓ２５で肯定判断した後のＳ２７では、処理装置９が、上記のＳ２３で特定した血液の流速が所定の第２流速より速いか否かを判断する。所定の第２流速は、例えば、一般的な動脈または静脈を流れる血液の流速を参考にして決定される。所定の第２流速は、上記の所定の第１流速より速い流速である。所定の第２流速は、例えば３００ｍｍ／ｓである。処理装置９は、Ｓ２７で肯定判断する場合は（Ｓ２７でＹｅｓ）、Ｓ２９に進む。一方、処理装置９は、Ｓ２７で否定判断する場合は（Ｓ２７でＮｏ）、Ｓ３３に進む。
【００４６】
人の体内１０１の動脈を流れる血液の流速は、静脈を流れる血液の流速より速い。処理装置９がＳ２７で肯定判断する場合は、交差点１０が当たっている血液の流速が所定の第２流速より速いので、その血液が流れている血管が動脈であると判断することができる。一方、処理装置９がＳ２７で否定判断する場合は、交差点１０が当たっている血液の流速が所定の第２流速より遅いので、その血液が流れている血管が静脈であると判断することができる。
【００４７】
Ｓ２７で肯定判断した後のＳ２９では、処理装置９が、動脈を表す表示を表示装置４に表示する（図１０参照）。例えば、処理装置９は、動脈を表す「動脈」の文字列Ｃ１を表示装置４に表示する。また、処理装置９は、上記のＳ１３で特定してＳ１５で表示した距離Ｘの隣に動脈を表す表示を表示する。例えば、処理装置９は、上記のＳ１３で特定してＳ１５で表示した距離Ｘが８．０ｍｍであった場合は、その距離Ｘ（８．０ｍｍ）隣に文字列Ｃ１を表示する。また、Ｓ２９では、処理装置９が、上記のＳ２３で特定した血液の流速を表示装置４に表示する（図１０参照）。処理装置９は、Ｓ１５で表示した距離Ｘに対応する文字列Ｃ１の隣に流速（例えば、４００ｍｍ／ｓ）を表示する。処理装置９は、Ｓ２９の処理が終了した後に上記のＳ１１に戻る。
【００４８】
Ｓ２７で否定判断した後のＳ３３では、処理装置９が、静脈を表す表示を表示装置４に表示する（図１０参照）。例えば、処理装置９は、静脈を表す「静脈」の文字列Ｃ２を表示装置４に表示する。また、処理装置９は、上記のＳ１３で特定してＳ１５で表示した距離Ｘの隣に静脈を表す表示を表示する。例えば、処理装置９は、上記のＳ１３で特定してＳ１５で表示した距離Ｘが５．０ｍｍであった場合は、その距離Ｘ（５．０ｍｍ）隣に文字列Ｃ２を表示する。また、Ｓ３３では、処理装置９が、上記のＳ２３で特定した血液の流速を表示装置４に表示する（図１０参照）。処理装置９は、Ｓ１５で表示した距離Ｘに対応する文字列Ｃ２の隣に流速（例えば、１５０ｍｍ／ｓ）を表示する。処理装置９は、Ｓ３３の処理が終了した後に上記のＳ１１に戻る。
【００４９】
処理装置９は、上記の測定処理（Ｓ１１−Ｓ３３）を繰り返す。処理装置９は、移動装置２５が交差点１０を移動させた距離Ｘ毎に上記の測定処理（Ｓ１１−Ｓ３３）を実行する。そのため、処理装置９は、移動装置２５が交差点１０を移動させた距離Ｘ毎に、交差点１０が当たっている血液が流れている血管の種類（動脈、静脈、毛細血管、または、なし）を特定する。その後、例えば測定装置１の電源がオフになると測定処理が終了する。
【００５０】
上記の測定処理において、処理装置９は、血液の流速を特定する際に遮断装置５の開閉部材５２を開閉させてもよい。より詳細には、まず、処理装置９が開閉部材５２を開状態にする。すなわち、処理装置９が遮断装置５を非遮断状態にする。そうすると、第１レーザー光Ｌ１と第２レーザー光Ｌ２が人の体内１０１に入射して第１レーザー光Ｌ１と第２レーザー光Ｌ２による散乱光Ｐが生じる。この散乱光Ｐを受光素子３１が受光する。受光素子３１は、受光した散乱光Ｐに応じた信号を出力する。その信号を処理装置９が受信する。したがって、処理装置９は、第１レーザー光Ｌ１と第２レーザー光Ｌ２によって生じる散乱光Ｐに基づく信号を受信する。
【００５１】
続いて、処理装置９は、開閉部材５２を閉状態にする。すなわち、処理装置９が遮断装置５を遮断状態にする。そうすると、第１レーザー光Ｌ１が遮断される。そのため、第２レーザー光Ｌ２のみが人の体内１０１に入射して第２レーザー光Ｌ２のみによる散乱光Ｐ´が生じる。この散乱光Ｐ´を受光素子３１が受光する。受光素子３１は、受光した散乱光Ｐ´に応じた信号を出力する。その信号を処理装置９が受信する。したがって、処理装置９は、第２レーザー光Ｌ２のみによって生じる散乱光Ｐ´に基づく信号を受信する。
【００５２】
処理装置９は、受光素子３１から受信する信号Ｐ及びＰ´に基づいて血液の流速を特定することができる。例えば、処理装置９は、遮断装置５が非遮断状態のときの信号Ｐに基づく周波数スペクトルと、遮断装置５が遮断状態のときの信号Ｐ´に基づく周波数スペクトルとの差分に基づいて血液の流速を特定してもよい。血液の流速を特定するための演算方法は特に限定されない。
【００５３】
以上、第１実施例に係る測定装置１について説明した。上記の説明から明らかなように、測定装置１では、照射装置２が、第１レーザー光Ｌ１と、第１レーザー光Ｌ１と交差する第２レーザー光Ｌ２とを人の体内１０１に向けて照射する。また、照射装置２によって照射された第１レーザー光Ｌ１と第２レーザー光Ｌ２との交差点１０が人の体内１０１を流れる血液に当たることによって生じる散乱光Ｐを受光装置３が受光する。受光装置３は、散乱光Ｐ´を受光してもよい。受光装置３は、受光した散乱光Ｐに応じた信号を出力する。受光装置３は、散乱光Ｐ´に応じた信号を出力してもよい。処理装置９は、受光装置３が出力した信号に基づいて交差点１０が当たっている血液の流速を特定し（Ｓ２３）、特定した血液の流速を表示装置４に表示する（Ｓ２９、Ｓ３１、Ｓ３３）。
【００５４】
この構成によれば、第１レーザー光Ｌ１と第２レーザー光Ｌ２によって生じる散乱光Ｐに応じた信号に基づいて血液の流速を特定するので、血液の流速を精度良く特定することができる。また、その流速が表示装置４に表示されるので、測定装置１のユーザーが血液の流速を精度良く知ることができる。
【００５５】
また、上記の測定装置１では、処理装置９が、特定した血液の流速が所定の第１流速より速い場合は（Ｓ２５でＹｅｓ）、動脈または静脈を表す表示を表示装置４に表示する（Ｓ２９、Ｓ３３）。この構成によれば、第１レーザー光Ｌ１と第２レーザー光Ｌ２の交差点１０が当たっている血液の流速が所定の第１流速より速い場合は、その血液が流れている血管が動脈または静脈であると判断することができる。そのため、この場合は、動脈または静脈を表す表示が表示装置４に表示される。これによって、表示装置４を視たユーザーが、体内１０１の動脈または静脈の位置を知ることができる。
【００５６】
また、上記の測定装置１は、照射装置２によって照射された第１レーザー光Ｌ１を遮断する遮断装置５を備えている。遮断装置５は、第１レーザー光Ｌ１を遮断する遮断状態と、第１レーザー光Ｌ１を遮断しない非遮断状態とを切り換え可能に構成されている。この構成によれば、処理装置９が遮断装置５を遮断状態に切り換えることによって、第２レーザー光Ｌ２のみによって生じる散乱光Ｐ´に基づく信号を取得することができる。また、処理装置９が遮断装置５を非遮断状態に切り換えることによって、第１レーザー光Ｌ１と第２レーザー光Ｌ２によって生じる散乱光Ｐに基づく信号を取得することができる。処理装置９が散乱光Ｐ及びＰ´に基づく信号を取得することができるので、それらの信号に基づいて血液の流速を精度良く特定することができる。
【００５７】
以上、一実施例について説明したが、具体的な態様は上記実施例に限定されるものではない。以下の説明において、上述の説明における構成と同様の構成については、同一の符号を付して説明を省略する。
【００５８】
（第２実施例）
第２実施例に係る測定装置１では、上記のＳ２３で処理装置９が血液の流速を特定する際に、所定の時間にわたって血液の流速を特定する。所定の時間は、例えば４秒である。これによって、例えば図１２または図１３に示すように、所定の時間（例えば４秒）にわたる血液の流速の波形が得られる。
【００５９】
また、第２実施例に係る測定装置１では、図１４に示すように、処理装置９がＳ２５で肯定判断した後にＳ４７の処理を実行する。Ｓ４７では、処理装置９が、Ｓ２３で特定した所定の時間にわたる血液の流速の変化量が所定の変化量より大きいか否かを判断する。血液の流速の所定の変化量は、例えば３００ｍｍ／ｓである。図１２に示す例では、所定の時間（例えば４秒）の間に血液の流速が１００ｍｍ／ｓ以下から４００ｍｍ／ｓ以上まで変化している。したがって、血液の流速の変化量が所定の変化量（例えば３００ｍｍ／ｓ）より大きい。図１３に示す例では、所定の時間（例えば４秒）の間に血液の流速が２００ｍｍ／ｓ以下で変化している。したがって、血液の流速の変化量が所定の変化量（例えば３００ｍｍ／ｓ）より小さい。処理装置９は、Ｓ４７で肯定判断する場合は（Ｓ４７でＹｅｓ）、Ｓ２９に進む。一方、処理装置９は、Ｓ４７で否定判断する場合は（Ｓ４７でＮｏ）、Ｓ３３に進む。
【００６０】
人の体内１０１の動脈を流れる血液の流速の変化量は、静脈を流れる血液の流速の変化量より大きい。処理装置９がＳ４７で肯定判断する場合は、血液の流速の変化量が所定の変化量より大きいので、その血液が流れている血管が動脈であると判断することができる。一方、処理装置９がＳ４７で否定判断する場合は、血液の流速の変化量が所定の変化量より小さいので、その血液が流れている血管が静脈であると判断することができる。
【００６１】
（その他の実施例）
上記のＳ４７で処理装置９が血液の流速の変化量を判断する処理の他の例について説明する。他の例では、図１２または図１３に示すように、処理装置９が、Ｓ２３で得られた血液の流速の波形の１波長を同じ時間で等分割する。例えば、処理装置９は、波形の１波長を０．５秒間隔で３等分割する。続いて処理装置９は、分割した波形の各区間の面積Ｓ１、Ｓ２、Ｓ３を算出する。波形の面積は距離に対応している。続いて処理装置９は、各区間の面積Ｓ１、Ｓ２、Ｓ３の平均面積Ｓａ（＝Ｓ１＋Ｓ２＋Ｓ３／３）を算出する。続いて処理装置９は、平均面積Ｓａを１波長の期間Ｔで除して平均流速Ｖａ（＝Ｓａ／Ｔ）を算出する。そして処理装置９は、波形の１波長の間に、平均流速Ｖａ＋（プラス）１００ｍｍ／ｓより速い血液の流速と、平均流速Ｖａ−（マイナス）１００ｍｍ／ｓより遅い血液の流速との両方が出現する場合は、血液の流速の変化量が所定の変化量より大きいと判断する。なお、血液の流速の変化量の演算方法は特に限定されるものではない。
【００６２】
上記の実施例では測定装置１が人の体Ｂに適用されていたが、他の実施例では測定装置１が人以外の動物（例えば犬や猫）の体に適用されてもよい。
【００６３】
上記の実施例では処理装置９がＳ３１の処理を実行していたが、他の実施例ではＳ３１の処理を省略してもよい。処理装置９は、Ｓ２５で否定判断した場合は、Ｓ３１の処理を実行せずにＳ１１に戻ってもよい。
【００６４】
また、表示装置４における表示は、上記の構成に限定されるものではない。例えば、図１５に示すように、処理装置９が、距離Ｘの範囲を表示装置４に表示してもよい。処理装置９は、測定処理（Ｓ１１−Ｓ３３）を複数回繰り返した後に、距離Ｘの範囲を表示装置４に表示する。また、動脈を表す「動脈」の文字列Ｃ１と、静脈を表す「静脈」の文字列Ｃ２とを、距離Ｘの範囲の隣に表示する。
【００６５】
また、図１６に示すように、処理装置９は、距離Ｘの目盛りを表示装置４に表示してもよい。また、動脈および静脈を表す表示は、文字列に限定されるものではない。例えば、図１６に示すように、動脈を表す表示が濃い色の表示であり、静脈を表す表示が薄い色の表示であってもよい。あるいは、動脈を表す表示が強い光の表示であり、静脈を表す表示が弱い光の表示であってもよい。動脈と静脈を認識できる表示であれば特に限定されるものではない。
【００６６】
上記の実施例では、受光装置３から出力される信号が電圧信号であったが、この構成に限定されるものではなく、受光装置３から電流信号が出力されてもよい。
【００６７】
上記の実施例では、第１ミラー４３と第２ミラー４４を用いていたが、この構成に限定されるものではなく、ミラーに代えて、端面を十分に研磨したガラスブロック等のレーザー光を全反射する部材を用いてもよい。
【００６８】
上記の実施例では、反射型の回折格子２３を用いていたが、この構成に限定されるものではなく、反射型に代えて、透過型の回折格子を用いてもよい。この場合、発光素子２１とコリメーターレンズ２２と透過型の回折格子が並ぶ順序が、図１に示す順序と逆になる（図示省略）。また、移動装置の構成は、第１レーザー光Ｌ１と第２レーザー光Ｌ２の照射位置を移動させて交差点１０の位置を移動させることができれば特に限定されるものではない。また、第１レーザー光Ｌ１と第２レーザー光Ｌ２は、回折格子２３に代えて、光束を分割するビームスプリッタ等の素子で生成されてもよい。
【００６９】
上記の実施例では、箱体３８の前壁３８ａに形成されている光通過孔３５が中空の構成であったが、この構成に限定されるものではなく、光通過孔３５に光透過性を有する部材が配置されていてもよい。例えば、光通過孔３５にガラスが充填されていてもよい。
【００７０】
上記の実施例では、照射装置２が移動装置２５を備えていたが、他の実施例では、照射装置２が移動装置２５を備えていなくてもよい。この場合は、第１レーザー光Ｌ１と第２レーザー光Ｌ２の交差点１０が、最初から筐体８の外側に位置している（図２参照）。
【００７１】
上記の実施例では、遮断装置５が枠部材５１と開閉部材５２を備えている構成であったが、遮断装置５の構成はこれに限定されるものではない。他の実施例では、第１ミラー４３が遮断装置５を構成していてもよい。より詳細には、図１７に示すように、第１ミラー４３が、第１反射面２４１と、第１非反射面２４３とを備えていてもよい。第１反射面２４１と第１非反射面２４３は、互いに反対方向を向いている。第１ミラー４３は、回転可能に構成されており、第１反射面２４１が受光装置３側を向く反射状態と、第１非反射面２４３が受光装置３側を向く非反射状態とを切り換え可能に構成されている。反射状態では、第１レーザー光Ｌ１が第１ミラー４３で反射して人の体内１０１に入射する。反射状態では第１レーザー光Ｌ１が遮断されない。第１ミラー４３の反射状態が遮断装置５の非遮断状態に対応している。一方、非反射状態では、第１レーザー光Ｌ１が第１ミラー４３で反射せず、人の体内１０１に入射しない。非反射状態では第１レーザー光Ｌ１が遮断される。第１ミラー４３の非反射状態が遮断装置５の遮断状態に対応している。
【００７２】
（第３実施例）
上記の実施例では、第１レーザー光Ｌ１の進路上に遮断装置５が配置されていたが、第３実施例では、図１８に示すように、第１レーザー光Ｌ１の進路上と第２レーザー光Ｌ２の進路上とのそれぞれに遮断装置５（５ａ、５ｂ）が配置されていてもよい。第１レーザー光Ｌ１の進路上に第１遮断装置５ａが配置されており、第２レーザー光Ｌ２の進路上に第２遮断装置５ｂが配置されていてもよい。処理装置９が、第１レーザー光Ｌ１の進路上の第１遮断装置５ａの遮断状態／非遮断状態と、第２レーザー光Ｌ２の進路上の第２遮断装置５ｂの遮断状態／非遮断状態とを交互に切り換えてもよい。
【００７３】
次に、第３実施例に係る測定処理について説明する。図１９に示すように、第３実施例に係る測定処理では、Ｓ１５の処理の後にＳ５１の処理が実行される。Ｓ１５までの処理については、第１実施例で説明したＳ１５までの処理（図９参照）と同様なので詳細な説明を省略する。Ｓ１５に続くＳ５１では、処理装置９が、第１レーザー光Ｌ１の進路上に配置されている第１遮断装置５ａを非遮断状態にする。また、処理装置９が、第２レーザー光Ｌ２の進路上に配置されている第２遮断装置５ｂを非遮断状態にする。処理装置９が第１遮断装置５ａと第２遮断装置５ｂを共に非遮断状態にすると、第１レーザー光Ｌ１と第２レーザー光Ｌ２が共に人の体Ｂに照射され、第１レーザー光Ｌ１と第２レーザー光Ｌ２が共に人の体内１０１に入射する。
【００７４】
続いてＳ１７ａでは、処理装置９が、受光素子３１から電圧信号を受信する。処理装置９は、第１レーザー光Ｌ１と第２レーザー光Ｌ２が共に人の体Ｂに照射されているときの電圧信号を受信する。Ｓ１７ａの処理については、第１実施例で説明したＳ１７の処理（図９参照）と同様なので詳細な説明を省略する。続いてＳ１９ａでは、処理装置９が、受光素子３１から受信してサンプリングした電圧信号をフーリエ変換する。Ｓ１９ａの処理については、第１実施例で説明したＳ１９の処理（図９参照）と同様なので詳細な説明を省略する。
【００７５】
続いてＳ２１ａでは、処理装置９が、Ｓ１９ａの処理で得られた周波数スペクトルにおけるピーク周波数fp（第１ピーク周波数fp1）を検出する。Ｓ２１ａの処理については、第１実施例で説明したＳ２１の処理（図９参照）と同様なので詳細な説明を省略する。
【００７６】
続いてＳ５２では、処理装置９が、第１レーザー光Ｌ１の進路上に配置されている第１遮断装置５ａを非遮断状態にする。その一方で、処理装置９が、第２レーザー光Ｌ２の進路上に配置されている第２遮断装置５ｂを遮断状態にする。処理装置９が第１遮断装置５ａを非遮断状態にすると、第１レーザー光Ｌ１が人の体Ｂに照射され、第１レーザー光Ｌ１が人の体内１０１に入射する。一方、処理装置９が第２遮断装置５ｂを遮断状態にすると、第２レーザー光Ｌ２が人の体Ｂに照射されず、第２レーザー光Ｌ２が人の体内１０１に入射しない。
【００７７】
続いてＳ１７ｂでは、処理装置９が、受光素子３１から電圧信号を受信する。処理装置９は、第１レーザー光Ｌ１が人の体Ｂに照射されている一方で第２レーザー光Ｌ２が人の体Ｂに照射されていないときの電圧信号を受信する。Ｓ１７ｂの処理については、第１実施例で説明したＳ１７の処理（図９参照）と同様なので詳細な説明を省略する。続いてＳ１９ｂでは、処理装置９が、受光素子３１から受信してサンプリングした電圧信号をフーリエ変換する。Ｓ１９ｂの処理については、第１実施例で説明したＳ１９の処理（図９参照）と同様なので詳細な説明を省略する。
【００７８】
続いてＳ２１ｂでは、処理装置９が、Ｓ１９ｂの処理で得られた周波数スペクトルにおけるピーク周波数fp（第２ピーク周波数fp2）を検出する。Ｓ２１ｂの処理については、第１実施例で説明したＳ２１の処理（図９参照）と同様なので詳細な説明を省略する。
【００７９】
続いてＳ５３では、処理装置９が、第１レーザー光Ｌ１の進路上に配置されている第１遮断装置５ａを遮断状態にする。その一方で、処理装置９が、第２レーザー光Ｌ２の進路上に配置されている第２遮断装置５ｂを非遮断状態にする。処理装置９が第１遮断装置５ａを遮断状態にすると、第１レーザー光Ｌ１が人の体Ｂに照射されず、第１レーザー光Ｌ１が人の体内１０１に入射しない。一方、処理装置９が第２遮断装置５ｂを非遮断状態にすると、第２レーザー光Ｌ２が人の体Ｂに照射され、第２レーザー光Ｌ２が人の体内１０１に入射する。
【００８０】
続いてＳ１７ｃでは、処理装置９が、受光素子３１から電圧信号を受信する。処理装置９は、第１レーザー光Ｌ１が人の体Ｂに照射されていない一方で第２レーザー光Ｌ２が人の体Ｂに照射されているときの電圧信号を受信する。Ｓ１７ｃの処理については、第１実施例で説明したＳ１７の処理（図９参照）と同様なので詳細な説明を省略する。続いてＳ１９ｃでは、処理装置９が、受光素子３１から受信してサンプリングした電圧信号をフーリエ変換する。Ｓ１９ｃの処理については、第１実施例で説明したＳ１９の処理（図９参照）と同様なので詳細な説明を省略する。
【００８１】
続いてＳ２１ｃでは、処理装置９が、Ｓ１９ｃの処理で得られた周波数スペクトルにおけるピーク周波数fp（第３ピーク周波数fp3）を検出する。Ｓ２１ｃの処理については、第１実施例で説明したＳ２１の処理（図９参照）と同様なので詳細な説明を省略する。
【００８２】
続いてＳ５４では、処理装置９が、合成ピーク周波数fpを演算する。処理装置９は、上記のＳ２１ａで検出した第１ピーク周波数fp1と、Ｓ２１ｂで検出した第２ピーク周波数fp2と、Ｓ２１ｃで検出した第３ピーク周波数fp3とに基づいて合成ピーク周波数fpを演算する。処理装置９は、下記の式（２）によって、合成ピーク周波数fpを演算することができる。なお、合成ピーク周波数fpの演算方法については特に限定されない。
【数２】
2020188916.tif 000004
【００８３】
続いてＳ２３では、処理装置９が、Ｓ５４で演算した合成ピーク周波数fpに基づいて血液の流速を特定する。Ｓ２３の処理については、第１実施例で説明したので詳細な説明を省略する（図９参照）。また、Ｓ２３以降の処理についても、第１実施例で説明したので詳細な説明を省略する（図９参照）。
【００８４】
以上、第３実施例に係る測定装置１について説明した。上記の説明から明らかなように、第３実施例に係る測定装置１は、第１レーザー光Ｌ１を遮断する第１遮断装置５ａと、第２レーザー光Ｌ２を遮断する第２遮断装置５ｂとを備えている。処理装置９は、第１遮断装置５ａと第２遮断装置５ｂが共に非遮断状態であるときに受光装置３が出力した信号と、第１遮断装置５ａが遮断状態である一方で第２遮断装置５ｂが非遮断状態であるときに受光装置３が出力した信号と、第１遮断装置５ａが非遮断状態である一方で第２遮断装置５ｂが遮断状態であるときに受光装置３が出力した信号と、に基づいて交差点１０が当たっている血液の流速を特定する（Ｓ５１−Ｓ２３）。
【００８５】
この構成によれば、第１遮断装置５ａの遮断状態／非遮断状態と、第２遮断装置５ｂの遮断状態／非遮断状態とを組み合わせて血液の流速を特定することによって、血液の流速を精度良く特定することができる。
【００８６】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００８７】
１      ：測定装置
２      ：照射装置
３      ：受光装置
４      ：表示装置
５      ：遮断装置
５ａ    ：第１遮断装置
５ｂ    ：第２遮断装置
８      ：筐体
９      ：処理装置
１０    ：交差点
２１    ：発光素子
２２    ：コリメーターレンズ
２３    ：回折格子
２５    ：移動装置
３１    ：受光素子
３５    ：光通過孔
３６    ：入射口
３７    ：出射口
４３    ：第１ミラー
４４    ：第２ミラー
５１    ：枠部材
５２    ：開閉部材
５３    ：開口部
８１    ：先端部材
８２    ：開口部
８５    ：突起
２４１  ：第１反射面
２４２  ：第２反射面
２４３  ：第１非反射面
２５１  ：ボルト
２５２  ：リニアエンコーダ
【図１】
2020188916.tif 000005
【図２】
2020188916.tif 000006
【図３】
2020188916.tif 000007
【図４】
2020188916.tif 000008
【図５】
2020188916.tif 000009
【図６】
2020188916.tif 000010
【図７】
2020188916.tif 000011
【図８】
2020188916.tif 000012
【図９】
2020188916.tif 000013
【図１０】
2020188916.tif 000014
【図１１】
2020188916.tif 000015
【図１２】
2020188916.tif 000016
【図１３】
2020188916.tif 000017
【図１４】
2020188916.tif 000018
【図１５】
2020188916.tif 000019
【図１６】
2020188916.tif 000020
【図１７】
2020188916.tif 000021
【図１８】
2020188916.tif 000022
【図１９】
2020188916.tif 000023